(57)【要約】【課題】本発明は、可変動弁装置を構成するカムシャフト、バルブ駆動部材、動力伝達部材が、その後の気筒間ばらつき調整など調整作業に速やかに対応できるように組み上げられる可変動弁装置の組立方法を提供する。【解決手段】本発明の可変動弁装置の組立方法は、可変動弁装置の各部材がセット可能なパレット４５を用意し、パレット４５上の所定位置にバルブ駆動部材１７および動力伝達部材１９を配置し、これらバルブ駆動部材１７および動力伝達部材１９をカムシャフト６及びシャフト部材８で組み込んで、パレット４５上で可変動弁装置１を組み上げるようにした。これにより、可変動弁装置は、気筒間ばらつきの調整が行なえるようにアッセンブリされるだけでなく、同調整が行なえる専用の調整機器の有る場所に速やかに搬送させることが可能となる。【選択図】図１３
2010159638.tif 000002
【特許請求の範囲】
【請求項１】
カムを備えるカムシャフト、バルブを駆動するバルブ駆動部材、前記カムからのバルブ駆動出力を可変し前記バルブ駆動部材へ伝える動力伝達部材、前記動力伝達部材を軸支するシャフト部材の組み上げにより構成される可変動弁装置の組立方法であって、
前記可変動弁装置の各部材がセット可能なパレットを用意し、
前記パレット上の所定位置に前記バルブ駆動部材および前記動力伝達部材を配置し、これらバルブ駆動部材および動力伝達部材を前記カムシャフト及び前記シャフト部材で組み込んで、当該パレット上で前記可変動弁装置を組み上げることを特徴とする可変動弁装置の組立方法。
【請求項２】
前記可変動弁装置の各部材は、前記パレット上で前記バルブ駆動部材、前記動力伝達部材および前記シャフト部材を組み込んだ後、前記パレットの上方から前記カムシャフトを組み込む順番で組み上げることを特徴とする請求項１に記載の可変動弁装置の組立方法。
【請求項３】
前記可変動弁装置の各部材は、前記パレットの上方から前記バルブ駆動部材、前記動力伝達部材を組み込んだ後、前記パレットの側方から前記シャフト部材を挿入して前記動力伝達部材を串刺しにし、次いで前記パレットの上方から前記カムシャフトを組み込む順番で組み上げることを特徴とする請求項１に記載の可変動弁装置の組立方法。
【請求項４】
前記カムシャフトは、前記動力伝達部材をバルブ駆動出力が低リフト位相となる状態にして組み込むことを特徴とする請求項２または請求項３に記載の可変動弁装置の組立方法。
【請求項５】
前記動力伝達部材は、
前記カムからのバルブ駆動出力を可変して可変出力とする可変部材と、
前記可変部材からの可変出力を前記バルブ駆動部材へ伝える揺動カムと、
を備え、
前記揺動カムは、前記シャフト部材により組み込まれるとともに、
前記可変部材は、前記カムシャフトと前記シャフト部材との間に配置されて、前記カムシャフトを組み込むことにより位置決めされることを特徴とする請求項１ないし請求項４のいずれか１つに記載の可変動弁装置の組立方法。
【発明の詳細な説明】
【技術分野】
【０００１】
本発明は可変動弁装置の組立方法に関する。
【背景技術】
【０００２】
自動車に搭載されるレシプロ式のエンジン（内燃機関）では、近時、エンジンの排出ガスの対策やポンピングロスの改善を図るために、シリンダヘッドに、吸気バルブのバルブ駆動出力を連続的に制御する可変動弁装置を搭載することが行われつつある。
可変動弁装置の多くは、吸入空気量の調整を担うために、少なくともバルブリフト量を連続的に変化させる構造が用いられる。例えば特許文献１に開示されているように、吸気用カムのカム変位を揺動カムやセンタロッカアームなど構成される動力伝達部材で受けて、センタロッカアームの可変により吸気用カムからのバルブ駆動出力を可変させ（低リフト〜高リフト）、センタロッカアームからの可変出力を、変位した揺動カムで、バルブ駆動部材に伝えて吸気バルブを駆動することが行なわれている。
【０００３】
ところで、通常、エンジンの動弁系は、シリンダヘッドを組み立てるヘッド組立ラインを利用して各部材の組み付けを行なっている。
そのため、可変動弁装置の組み付けも、ヘッド組立ラインを利用して、同ラインを流れるシリンダヘッドに各部材を組み付ける。
ところが、可変動弁装置の各部材の組み付けは、作業工数が多いため、ヘッド組立ラインの生産効率が損なわれる。
【０００４】
そこで、特許文献２に開示されているロッカアーム機構のように、ヘッド組立ラインとは別に、カムシャフトを除く可変動弁装置の各部材をアッセンブリし、これを、ヘッド組立ライン上で、カムシャフトが組み付いているシリンダヘッドに組み付けることが考えられる。
同技術によると、確かに可変動弁装置を組み立てる作業がヘッド組立ラインから切り離されるため、ライン効率は向上する。
【先行技術文献】
【特許文献】
【０００５】
【特許文献１】特開２００５−２９９５３６号公報
【特許文献２】特開平１０−２４９６５６号公報
【発明の概要】
【発明が解決しようとする課題】
【０００６】
ところで、可変動弁装置は、特許文献２に開示されているようなロッカアーム機構だけの構造とは異なり、気筒間の燃焼ばらつきを抑えるため、気筒間ばらつきを調整することが求められる。この調整は、カムシャフトが組み合った状態で始めて可能になる。
このため、可変動弁装置の主要部の組み立てが行われたとしても、面倒な気筒間のばらつき調整がヘッド組立ラインで強いられる。
【０００７】
そこで、主要のバルブ駆動部材、揺動カム、センタロッカアームに、カムシャフトが組み合わさる構造の可変動弁装置をアッセンブリすることが考えられる。
ところが、気筒間ばらつきは、微細な調整が求められるため、専用の調整機器の有る場所でないと調整が行なえない。
このため、単に治具を用いてカムシャフト、バルブ駆動部材、揺動カム、センタロッカアームなどが組み上げられたとしても、その後の調整工程までには速やかに対応できない。
【０００８】
そこで、本発明の目的は、可変動弁装置を構成するカムシャフト、バルブ駆動部材、動力伝達部材が、その後の気筒間ばらつき調整など調整作業に速やかに対応できるように組み上げられる可変動弁装置の組立方法を提供することにある。
【課題を解決するための手段】
【０００９】
請求項１に記載の発明は、上記目的を達成するために、可変動弁装置の各部材がセット可能なパレットを用意し、パレット上の所定位置にバルブ駆動部材および動力伝達部材を配置し、これらバルブ駆動部材および動力伝達部材をカムシャフト及びシャフト部材で組み込んで、当該パレット上で可変動弁装置を組み上げることにある。
これにより、可変動弁装置は、気筒間ばらつきの調整が行なえるようにアッセンブリされるだけでなく、同調整が行なえる専用の調整機器の有る場所に速やかに搬送させることが可能となる。これで、可変動弁装置の取り扱いが容易になり、シリンダヘッドを組み立てるラインの負担が軽減される。
【００１０】
請求項２に記載の発明は、さらに面倒なカムシャフトの組付作業が容易に行なえるよう、パレット上でバルブ駆動部材、動力伝達部材およびシャフト部材を組み込んだ後、パレットの上方からカムシャフトを組み込む順番で組み上げることとした。
請求項３に記載の発明は、効率的に組み付けが行なえるよう、パレットの上方からバルブ駆動部材、動力伝達部材を組み込んだ後、パレットの側方からシャフト部材を挿入して動力伝達部材を串刺しにし、次いでパレットの上方からカムシャフトを組み込む順番で組み上げることとした。
【００１１】
請求項４に記載の発明は、さらに他の部材に負担を与えずにカムシャフトが組み込めるよう、カムシャフトは、動力伝達部材をバルブ駆動出力が低リフト位相となる状態にしてから組み込むこととした。
請求項５に記載の発明は、さらにカムからのバルブ駆動出力を可変するのに重要な動力伝達部材が容易に位置決められるよう、動力伝達部材は、カムからのバルブ駆動出力を可変して可変出力とする可変部材と、可変部材からの可変出力をバルブ駆動部材へ伝える揺動カムとを備えた構造とし、揺動カムが、シャフト部材により組み込まれるとともに、可変部材が、カムシャフトとシャフト部材との間に配置されて、カムシャフトを組み込むことにより位置決めされることとした。
【発明の効果】
【００１２】
請求項１の発明によれば、可変動弁装置を構成するカムシャフト、バルブ駆動部材、動力伝達部材は、パレット上で、その後の気筒間ばらつき調整など調整作業に速やかに対応できるように組み上げられる。つまり、組み上げられた可変動弁装置は、気筒間ばらつきの調整が行なえるようにアッセンブリされるだけでなく、同調整が行なえる専用の調整機器の有る場所に速やかに搬送させることが可能となる。
【００１３】
したがって、可変動弁装置の取り扱いが容易になり、シリンダヘッドを組み立てるラインの負担が軽減できる。
請求項２の発明によれば、さらに面倒なカムシャフトの組み付けは、作業性のよいパレット上方からの作業で行なうことができる。
請求項３の発明によれば、バルブ駆動部材や動力伝達部材やシャフト部材からカムシャフトまでの組込作業を効率良く行なうことができる。
【００１４】
請求項４の発明によれば、他の部材に影響を与えるおそれのあるカムシャフトを、他の部材に負担を与えずに、スムーズに組み込むことができる。
請求項５の発明によれば、バルブ駆動出力を可変するのに重要な動力伝達部材を容易に位置決めることができる。
【図面の簡単な説明】
【００１５】
【図１】本発明の一実施形態に係る可変動弁装置の外観を、同装置が組み付くシリンダヘッドと共に示す斜視図。
【図２】図１中のＡ−Ａ線に沿う断面図。
【図３】パレットに揺動カムを組み込むときの作業を説明する斜視図。
【図４】それに続いてパレットにホルダ部材を組み込むときの作業を説明する斜視図。
【図５】それに続いてパレットに吸・排気ロッカアームを組み込むときの作業を説明する斜視図。
【図６】それに続いてシャフト部材を組み込むときの作業を説明する斜視図。
【図７】それに続いて制御シャフトに気筒間ばらつき調整ねじを組み込むときの作業を説明する斜視図。
【図８】制御シャフトを低リフト側へ移動させる作業を説明する断面図。
【図９】それに続いてセンタロッカアームを組み込むときの作業を説明する斜視図。
【図１０】それに続いてカムシャフトを組み込むときの作業を説明する斜視図。
【図１１】低リフト側の姿勢の調整により、カムシャフトがカムジャーナル部にスムーズに収まること説明するための断面図。
【図１２】それに続いてカムキャップでカムシャフトを保持する作業を説明する斜視図。
【図１３】パレット上で組み上がった可変動弁装置を示す斜視図。
【図１４】図１３中のＢ−Ｂ線に沿うホルダ部材周りの断面図。
【図１５】図１３中のＣ−Ｃ線に沿う可変動弁機構部周りの断面図。
【発明を実施するための形態】
【００１６】
以下、本発明を図１〜図１５に示す一実施形態にもとづいて説明する。
図１は、組み立てを行なう対象装置である可変動弁装置１の外観を示し、図２は同図１中Ａ−Ａ線に沿う断面をそれぞれ示している。
可変動弁装置１は、図１および図２に示されるようにレシプロ式多気筒エンジン（内燃機関）の吸気バルブ２や排気バルブ３が付いたシリンダヘッド４に装着可能に構成されている。
【００１７】
この可変動弁装置１の組立方法を説明する前に、組み立て対象となる可変動弁装置１を構成している各部の構造を説明する。同装置１は、例えば、気筒列に沿って並んだ配置した複数のホルダ部材５の各上部に支持シャフト８（本願のシャフト部材に相当）を設け、ホルダ部材５の中段片側に排気用ロッカシャフト１０を設けてフレームとし、同フレームの吸気側（排気用ロッカシャフト１０と反対側）に、吸気用ロッカシャフトを兼ねる制御シャフト１２（図２）を設ける。さらに同フレームの吸気側に、気筒毎、制御シャフト１２を用いて吸気バルブ２のバルブ特性を可変する可変動弁機構部１５を設け、排気用ロッカシャフト１０に、気筒毎、排気バルブ３を通常の一義的に開閉させる排気用の二連式のロッカアーム４０（図２）を設ける。またホルダ部材５の下部に形成してあるカムジャーナル部５ａには、カムキャップ７を用いて、カムシャフト６が支持してある。
【００１８】
ここで、可変動弁機構部１５は、いずれも制御シャフト１２に回動自在に支持された吸気用の二股形のロッカアーム１７（本願のバルブ駆動部材に相当）と、一端部が支持シャフト８に揺動自在に支持されてロッカアーム１７とカムシャフト６との間に配置された揺動カム１９と、一端部が制御シャフト１２に支持されて揺動カム１９とカムシャフト６に有る吸気カム６ａ間に配置されたセンタロッカアーム２１（本願の可変部材に相当：図２）とを有している。これらのうち揺動カム１９、センタロッカアーム２１が、吸気カム６ａからのバルブ駆動出力を可変しロッカアーム１７へ伝える動力伝達部材１６（図２）をなす。
【００１９】
これら各部材を詳述するとロッカアーム１７は、図１および図２に示されるように側方へ張り出す二股のアーム部分の一端部に吸気バルブ２を駆動するアジャストスクリュ部２３を有し、支持シャフト８側に向く他端部にバルブ駆動出力を受けるローラ２５を有している。
揺動カム１９は、図２に示されるように他端部に揺動方向に延びるカム面２７を有し、下部にローラ２９を有する。このうちのカム面２７は、ロッカアーム１７のローラ２５と転接する。
【００２０】
センタロッカアーム２１は、図２に示されるようにＬ形をなし、上方へ向かうアーム部２１ａの先端面には斜面３１（制御シャフト側が低、支持シャフト側が高）を有し、制御シャフト１２へ向かうアーム２１ｂの先端部には屈曲自在なピン部材３３を有し、アーム部２１ａ，２１ｂが交わる部分には回転自在なローラ３５を有する。このうち斜面３１は、揺動カム１９のローラ２９と転接する。またローラ３５は、吸気カム６ａのカム面と転接し、吸気カム６ａからのバルブ駆動力の可変が行なえるようにしている。と共にこの可変出力が揺動カム１９の揺動変位を介してロッカアーム１７へ伝えられるようにしている。
【００２１】
すなわち、ピン部材３３は、制御シャフト２８に形成されている通孔１２ａに進退自在に差し込まれる。この差込みにより、センタロッカアーム２１は、ピン部材３３の屈曲部を支点に揺動自在に支持され、制御シャフト１２を回動変位すると、センタロッカアーム２１全体が、吸気用カム６ａとの転接位置を変更しながら、吸気用カム６ａのカム面を進角方向や遅角方向（カムシャフト６と交差する方向）へ変位する。この変位で揺動カム１９の姿勢が変化し、ローラ２５が転動するカム面２７の領域を変化させ、吸気用カム６ａから出力されるバルブ駆動出力、例えば吸気バルブ２のバルブリフト量や開閉タイミングや開弁期間が、連続的に低リフトから高リフトまで可変される。またピン部材３３が挿入された通孔１２ａには、反対側からピン部材３３の突出し量を調整するための気筒間ばらつき調整ねじ３７が進退可能に螺挿され、気筒毎にバルブ開閉時期やバルブリフト量の調整が行える。
【００２２】
こうした可変動弁装置１が、図３〜図１５に示される組立手順にしたがって、搬送可能なパレット４５上で、カムシャフト６からロッカアーム１７まで組み上げてある。
ここで、組み立てに使用されるパレット４５を説明すると、同パレット４５は、図３に示されるように例えば箱形をなし、可変動弁装置１の各部材を上下逆の向きでセットすると次第に組み上がる構造が用いられている。そのため、パレット４５は、箱形本体内の各部に、ロッカアーム１７、４０や揺動カム１９やセンタロッカアーム２１が上方から組み込める各種凹部５０ａ〜５０ｄ（いずれもセット部）、支持シャフト８や排気用ロッカシャフト１０や制御シャフト１２を横方向から差し込める（挿入）各種切欠部５１ａ，５１ｂ（いずれもセット部）が形成された構造となっている。
【００２３】
つぎに、このパレット４５を用いて可変動弁装置１の組立方法を説明する。
パレット４５は、所定の作業ステーションに位置決められるものである。そして、作業ステーションで、パレット４５上の所定位置に、まず、上下方向で重ならない地点に有る部品（ホルダ部材５、揺動カム１９、ロッカアーム１７，４０）を組み付ける（シャフト８，１０，１２を除く）。
【００２４】
具体的には、まず図３に示されるように揺動カム１９をトーションスプリング１９ａ（カム押付用のスプリング部材）と共に、パレット４５内のうち、最下部に有る揺動カム用の凹部５０ａに組み込む。このときトーションスプリング１９ａは、揺動カム１９に組み付いた状態のまま、パレット４５に組み込まれる。なお、トーションスプリング１９ａには付勢力は作用していない。
【００２５】
揺動カム１９、トーションスプリング１９ａの気筒毎の組み込みを終えたら、図４に示されるようにホルダ部材５を、パレット４５内のうち、気筒間に相当する地点に形成されているホルダ用の凹部５０ｂに組み込む。この際、トーションスプリング１９ａの残りの端部（自由端）は、ホルダ部材５と係止する。
ホルダ部材５の気筒毎の組み込みを終えたら、図５に示されるように吸気用のロッカアーム１７や排気用のロッカアーム４０を、パレット４５内のうち、凹部５０ｂ間に形成されている吸気ロッカ用の凹部５０ｃや排気ロッカ用の凹部５０ｄに組み込む。吸気用のロッカアーム１７、排気用のロッカアーム４０は、上面視から見て重なり合う部位が無いから、組み込む順番はどちらからでも構わない。
【００２６】
むろん、ここまでの部品、すなわち揺動カム１９、トーションスプリング１９ａ、ホルダ部材５、ロッカアーム１７，４０は、いずれも上面視から見て重なり合う部位が無いので、上述した順番とは異なり、ホルダ部材５、揺動カム１９（含むトーションスプリング１９ａ）、吸・排気用のロッカアーム１７，４０の順番で組み込んでも、揺動カム１９（含むトーションスプリング１９ａ）、吸・排気用のロッカアーム１７，４０、ホルダ部材５の順番で組み込んでも構わない。
【００２７】
ロッカアーム１７，４０の気筒毎の組み込みを終えたら、図６に示されるように支持シャフト８、排気用ロッカシャフト１０、制御シャフト１２（吸気用ロッカシャフトを兼ねる）を、それぞれ一方向から、パレット４５の片側に形成されているシャフト挿入用の切欠部５１ａへ差し込んで、反対側に形成されているシャフト出用の切欠部５１ｂまで送り込み、各部材を各シャフト８，１０，１２で串刺しする。
【００２８】
すなわち、支持シャフト８は、ホルダ部材５に形成されている支持用の孔部５ｘ（図４）、揺動カム１９（含むトーションスプリング１９ａ）に形成されている支持用の孔部１９ｘ（図３）を貫通する。排気用ロッカシャフト１０は、ホルダ部材５に形成されている支持用の孔部５ｙ（図４）、排気用ロッカアーム４０に形成されている支持用の孔部４０ｘ（図５）を貫通する。吸気用ロッカシャフトを兼ねる制御シャフト１２は、ホルダ部材５に形成されている支持用の孔部５ｚ（図４）、吸気用のロッカアーム１７に形成されている支持用の孔部１７ｘ（図５）を貫通する。
【００２９】
なお、一方向から挿入しやすいよう各シャフト８，１０，１２の挿入端には、面取り部８ｘ，１０ｘ，１２ｘが形成してある（図６）。また各シャフト８，１０，１２は、シャフト部分の外周面に形成されている各孔が、ホルダ部材５やロッカアーム１７、４０や揺動カム１９の各部に所定に位置決められるよう、位置決めのためのマーキングが施されたり（図６中８ｙ、１０ｙでマーキング部は図示）、マーキングを兼ねる所定向きの凸部５３が形成されている。また回転操作がしやすいよう、各シャフトは、端部がホルダ部材５から所定に突き出る長さ寸法にしてある。
【００３０】
ここで、制御シャフト１２は、通孔１２ａの調整ねじ３７側の端部が上方に向いた姿勢で挿入してある。そのため、シャフト８，１０，１２による串刺し作業を終えると、つぎに図７および図８（ａ）に示されるようにそれぞれロッカアーム１７の二股のアーム部分間から露出している通孔１２ａ（制御シャフト１２）の一方の端部（めねじ有り）に、それぞれ気筒間ばらつき調整ねじ３７を組み込む。
【００３１】
気筒間ばらつき調整ねじ３７の気筒毎の組み込みを終えたら、制御シャフト１２の端部を操作して、制御シャフト１２を低リフト側へ回動させ、図８（ｂ）のようにピン部材３３の装着される通孔１２ａ端を上方へ向ける。これで、制御シャフト１２の向きは、低リフト位置、ここでは最も低いバルブリフトに位置決められる。
この制御シャフト１２の位置決めを終えたら、つぎに図９に示されるようにセンタロッカアーム２１の組み込む。これは、センタロッカアーム２１の一端に有るピン部材３３を、開口している通孔１２ａの端部へ挿入し、他端に有る斜面３１を、直下に配置されている受けローラ２９（揺動カム１９）に合わせ同受けローラ２９の外周面に位置決めることで行なう。
【００３２】
センタロッカアーム２１の気筒毎の組み込みを終えたら、図１０に示されるようにカムシャフト６を組み込む。これは、パレット４５の最上部に配置される各カムジャーナル部５ａ（ホルダ部材５）に、カムシャフト６に形成されているジャーナル部６ｃを合わせて置き、カムシャフト６に形成されている吸気カム６ａをセンタロッカアーム２１のローラ３５に位置決め、カムシャフト６に形成されている排気カム６ｂを排気用ロッカアーム４０に位置決めることで行なう。このカムシャフト６の組み込みにより、支持シャフト８とカムシャフト６との間に配置されたセンタロッカアーム２１は、支持シャフト８で組み込まれた揺動カム１９とカムシャフト６との間に位置決められる。
【００３３】
このとき、制御シャフト１２が高リフトに配置されていると、図１１（ｂ）に示されるようにセンタロッカアーム１２のローラ位置が揺動カム１９から離れて吸気カム６ａのカム中心へ近付き、揺動カム２５を高リフト位相の状態にするから、そのままではカムシャフト６のジャーナル部６ｃは、ホルダ部材５のカムジャーナル部５ａには収まり難い。ジャーナル部６ｃをスムーズに収めるためには、各吸気用ロッカアーム１７を移動する必要となるために、その際、部品に傷が生じるおそれがある。
【００３４】
ここで、既に制御シャフト１２の位相は、図１１（ａ）に示されるように例えば最小低リフトの位置に調整して、揺動カム２５を低リフト位相の状態にし、カムシャフト６が組み込む前の各部の姿勢を低リフト位相側の状態にしてある。これで、センタロッカアーム２１のローラ位置は、揺動カム２５に近付き吸気カム６ａのカム中心から離れるから、カムジャーナル部５ａとの距離が稼げ、カムシャフト６はスムーズにカムジャーナル部５ａに収まる。なお、図１１中、δは低リフト位置と高リフト位置のときのローラ位置の違いを示す。
【００３５】
カムシャフト６をカムジャーナル部５ａに収めたら、図１２に示されるようにカムジャーナル部５ａに、ジャーナル部６ｃを挟み付けるようカムキャップ７をセットする。そして、カムキャップ７をボルト止めで固定する。これで、最後にパレット上方からカムシャフト６が組み込まれる。
すると、図１３の全体図、図１４のホルダ部材５周りの断面図（図１３中のＢ−Ｂ線）、図１５の可変動弁機構部１５周りの断面図（図１３中のＣ−Ｃ線）に示されるようにパレット４５上で、可変動弁装置１の全体が組み上げられる。これにより、可変動弁装置１は、気筒間ばらつきの調整が行なえるアッセンブリされたモジュールとなる。
【００３６】
その後、パレット搬送で、専用の調整機器の有る場所へ可変動弁装置１を搬送すると、微細な気筒間ばらつき調整といった調整工程に入る。
こうしたパレット４５上の所定位置にロッカアーム１７、揺動カム１９、センタロッカアーム２１を配置し、これら部材をカムシャフト６、支持シャフト８、制御シャフト１２で組み込んで、パレット４５上で可変動弁装置１を組み上げるという手法により、可変動弁装置１は、気筒間ばらつきの調整が行なえるようにアッセンブリされるだけでなく、同調整が行なえる専用の調整機器の有る場所に速やかに搬送させることが可能となる。
【００３７】
しかも、可変動弁装置１の各部材は、パレット４５上でロッカアーム１７，４０、揺動カム１９、センタロッカアーム２１を組み込んだ後、最後にパレット上方からカムシャフト６を組み込む順番で組み上げるので、面倒なカムシャフト６の組み込みは、作業性のよいパレット上方からの作業で行なえる。そのうえ、パレット４５の上方からロッカアーム１７，４０、揺動カム１９を組み込んだ後、パレット側方からシャフト８，１０，１２を挿入して、揺動カム１９、ロッカアーム１７，４０を串刺しにし、最後にパレット上方からカムシャフト６を組み込む順番で可変動弁装置１を組み上げると、最後のカムシャフト６までの組込作業を効率良く行なうことができる。特にカムシャフト６は、揺動カム１９、センタロッカアーム２１を低リフト位相となる状態に変更してから組み込ませると、ロッカアーム１７を動かすような負担を強いずに、スムーズにカムシャフト６をジャーナル部６ｃに組み込ませることができ、無用な傷付きの発生を抑えることができる。
【００３８】
そのうえ、揺動カム１９を支持シャフト８で組み込ませ、支持シャフト８とカムシャフト６との間に配置されるセンタロッカアーム２１を、カムシャフト６の組み込みにより位置決めるようにしたことで、バルブ駆動出力を可変する重要な動力伝達部材１６が容易に所定に位置決められる。
また、組み立て手順の後半にカムシャフト６を挿入することで、個々の部品のミスアライメントが修正され、カムシャフト６を組み付けて若干の荷重が生じても、ミスアライメントに伴う傷や強い接触は防ぐことができる。
【００３９】
さらには、パレット４５に仮組みされた状態での可変動弁機構部１５の動作確認ができる。たとえば、カムシャフト６の挿入時に回転させ、そのトルクによって部品組合せ時の精度確認ができる。また、部品形状に合わせたパレット４５の形状からも部品の組み付け抜けを確認することができるうえ、部品自体の形状不良を見つけることができる。このように、多数の部品を組み合わせて、その動作を保障する必要がある可変動弁装置１をアセンブリすることにより、大幅に生産性が高まる。
【００４０】
なお、本発明は一実施形態に限定されるものではなく、本発明の主旨を逸脱しない範囲内で種々可変して実施しても構わない。例えば一実施形態では、吸気バルブのバルブ特性を連続的に可変する可変動弁装置に本発明を適用したが、これに限らず、排気バルブのバルブ特性を連続的に可変する可変動弁装置を組み込む場合に適用してもよい。
【符号の説明】
【００４１】
２  吸気バルブ（バルブ）
５  ホルダ部材
６  カムシャフト
７  カムキャップ
８  支持シャフト（シャフト部材）
１２  吸気用ロッカシャフトを兼ねる制御シャフト
１５  可変動弁機構部
１６  動力伝達部材
１７  吸気用のロッカアーム（バルブ駆動部材）
１９  揺動カム
２１  センタロッカアーム（可変部材）
４５  パレット
５０ａ〜５０ｄ，５１ａ，５１ｂ  凹部、切欠部
【図１】
2010159638.tif 000003
【図２】
2010159638.tif 000004
【図３】
2010159638.tif 000005
【図４】
2010159638.tif 000006
【図５】
2010159638.tif 000007
【図６】
2010159638.tif 000008
【図７】
2010159638.tif 000009
【図８】
2010159638.tif 000010
【図９】
2010159638.tif 000011
【図１０】
2010159638.tif 000012
【図１１】
2010159638.tif 000013
【図１２】
2010159638.tif 000014
【図１３】
2010159638.tif 000015
【図１４】
2010159638.tif 000016
【図１５】
2010159638.tif 000017